(57)【要約】【課題】従来の装置においては、ライトガイドや光ファイバーなどが必要であるが、本発明では、基本的にそのようなものは必要としない。【解決手段】放射装置において、シンチレータを含有する発光部Ｈとレンズ部Ｌとを有し、該レンズ部は一方側にレンズ面を形成し、該発光部と該レンズ部との体積は、部該発光部Ｈの体積をＶＨとし、該レンズ部の体積をＶＬとしたとき、ＶＨ>ＶＬの関係に形成するとともに、該発光部Ｈと該レンズ部Ｌのレンズ面の反対側との間にくびれ部Ｒを形成し、該レンズ部Ｌのレンズ面から平行光が放射されるように構成する。【選択図】図１
2007024583.tif 000002
【特許請求の範囲】
【請求項１】
シンチレータを含有する発光部Ｈとレンズ部Ｌとを有し、該レンズ部は一方側にレンズ面を形成し、該発光部Hと該レンズ部Lとの体積は、該発光部Ｈの体積をＶＨとし、該レンズ部の体積をＶＬとしたとき、ＶＨ>ＶＬの関係に形成するとともに、該発光部Ｈのレンズ部L側と該レンズ部Ｌのレンズ面の反対側との間にくびれ部Ｒを形成し、該レンズ部Ｌのレンズ面から平行光が放射されるように構成したことを特徴とする放射装置。
【請求項２】
シンチレータが、プラスチックシンチレータであることを特徴とする請求項１に記載の放射装置。
【請求項３】
シンチレータが、結晶シンチレータであることを特徴とする請求項１に記載の放射装置。
【請求項４】
シンチレータが、無機材料シンチレータであることを特徴とする請求項１に記載の放射装置。
【請求項５】
シンチレータが、酸化物シンチレータであることを特徴とする請求項１に記載の放射装置。
【請求項６】
シンチレータが、BGOシンチレータであることを特徴とする請求項１に記載の放射装置。
【請求項７】
シンチレータが、GSOシンチレータであることを特徴とする請求項１に記載の放射装置。
【請求項８】
シンチレータが、ＣＳＩシンチレータであることを特徴とする請求項１に記載の放射装置。
【請求項９】
該発光部Hと該レンズ部Lとの体積は、部該発光部Ｈの体積をＶＨとし、該レンズ部の体積をＶＬとしたとき、体積比が、５：１であることを特徴とする前記請求項１乃至８のいずれか１項に記載の放射装置。
【請求項１０】
前記くびれ部Rを形成するに際し、該発光部Hのレンズ部Ｌ側を円錐状に形成することを特徴とする前記請求項１乃至９のいずれか１項に記載の放射装置。
【請求項１１】
前記くびれ部Rを形成するに際し、該レンズ部Ｌのレンズ面の反対側を円錐状に形成することを特徴とする前記請求項１乃至１０のいずれか１項に記載の放射装置。
【請求項１２】
前記くびれ部Rを形成するに際し、該レンズ部Ｌのレンズ面の反対側を段差付円錐状に形成することを特徴とする前記請求項１乃至１１のいずれか１項に記載の放射装置。
【請求項１３】
該発光部Hに遮蔽体を設けたことを特徴とする請求項１乃至１２のいずれか１項に記載の放射装置。
【請求項１４】
該発光部Hに反射体を設けたことを特徴とする請求項１乃至１２のいずれか１項に記載の放射装置。
【請求項１５】
前記発光部Hを直方体に形成したことを特徴とする前記請求項１乃至８のいずれか１項に記載の放射装置。
【請求項１６】
前記発光部Hを直方体に形成するとともに、該発光部Hのレンズ側面と放射線受光面を除いて遮蔽部を設けたことを特徴とする請求項１５記載の放射装置。
【請求項１７】
前記発光部Hを立方体に形成したことを特徴とする前記請求項１乃至８のいずれか１項に記載の放射装置。
【請求項１８】
前記発光部Hを立方体に形成するとともに、該発光部Hのレンズ側面と放射線受光面を除いて遮蔽部を設けたことを特徴とする請求項１７記載の放射装置。
【請求項１９】
前記くびれ部Rの直径が、レンズの直径の30％以下であることを特徴とする前記請求項１乃至１８のいずれか１項に記載の放射装置。
【発明の詳細な説明】
【技術分野】
【０００１】
本発明は、放射装置及びその応用分野に関する。
【背景技術】
【０００２】
シンチレータを用いた何らかの構造体に放射線を照射しその到達位置を直接的に測定するためには、ライトガイドや光ファイバーなど光を伝送するための伝送体構造を必要とする。また、カメラなどを使って離れたところから撮像する方法も考えられる。
しかしながらいずれの場合も全体の構造が複雑になる。また、このために構造の各部分に用いられる材質の放射線耐性の検討が必要となる。放射線耐性に劣る部分があった場合、その部分のために使用中に性能が劣化することとなる。また、通常のカメラによる撮像の場合、一般に集光率が極端に低くなる場合が多い。
【発明の開示】
【発明が解決しようとする課題】
【０００３】
放射線測定において、シンチレータはよく使われる検出体であるが、多くの場合、光を光センサまで導く伝送体構造が必要となる。強放射線環境においてはこの部分の材質の選択が放射線耐性の観点からしばしば問題となる。
【発明の効果】
【０００４】
従来は、発光体から光をその位置情報を保ったまま伝送するために、ライトガイドや光ファイバーなどが必要であるが、本発明では、基本的にそのようなものは必要としない。従って、これらの光伝送体の材質の選択、設計、力学的・物理学的化学的特性について考慮する必要がない。特に強放射線環境下においては、光伝送体の放射線耐性（多くの場合、放射線の被曝により透明度が劣化したり、変色したりする）が問題になるので、伝送体を省力できることのメリットは極めて大きい。
【発明を実施するための最良の形態】
【０００５】
本発明に係るレンズ型シンチレータは、シンチレータに代表される固体の発光物質を特殊な形状に加工することにより、内部で発生した光を、外部に平行に近い形で取り出すことができる。光が平行光となって空間を飛ぶので、光センサまで導く伝送体を基本的に必要としない。
柱状、あるいはその他の形状のシンチレータの一部に「くびれた部分」、「絞り部分」（以後、「くびれ部」という。）を設け、光を取り出すための端面を凸レンズ状に加工する。そして基本的には、物質中でのレンズの焦点が、くびれ部の箇所付近にするように構成する。
本発明の利点は、発光体のみを用いて外部に平行光が得られることであり、発光位置の情報を離れたところに伝送することができる。
【０００６】
本発明は、放射装置において、シンチレータを含有する発光部Ｈとレンズ部Ｌとを有し、該レンズ部は一方側にレンズ面を形成し、該発光部Hと該レンズ部Lとの体積は、該発光部Ｈの体積をＶＨとし、該レンズ部の体積をＶＬとしたとき、ＶＨ>ＶＬの関係に形成するとともに、該発光部Ｈのレンズ部L側と該レンズ部Ｌのレンズ面の反対側との間にくびれ部Ｒを形成し、該レンズ部Ｌのレンズ面から平行光が放射されるように構成したことを特徴とする。
本発明は、放射装置において、シンチレータが、プラスチックシンチレータであることを特徴とする。
本発明は、放射装置において、シンチレータが、結晶シンチレータであることを特徴とする。
本発明は、放射装置において、シンチレータが、無機材料シンチレータであることを特徴とする。
本発明は、放射装置において、シンチレータが、酸化物シンチレータであることを特徴とする。
本発明は、放射装置において、シンチレータが、BGOシンチレータであることを特徴とする。
本発明は、放射装置において、シンチレータが、GSOシンチレータであることを特徴とする。
本発明は、放射装置において、シンチレータが、ＣＳＩシンチレータであることを特徴とする。
本発明は、放射装置において、該発光部Hと該レンズ部Lとの体積は、部該発光部Ｈの体積をＶＨとし、該レンズ部の体積をＶＬとしたとき、体積比が、５：１であることを特徴とする。
本発明は、放射装置において、前記くびれ部Rを形成するに際し、該発光部Hのレンズ部Ｌ側を円錐状に形成することを特徴とする。
本発明は、放射装置において、前記くびれ部Rを形成するに際し、該レンズ部Ｌのレンズ面の反対側を円錐状に形成することを特徴とする。
本発明は、放射装置において、前記くびれ部Rを形成するに際し、該レンズ部Ｌのレンズ面の反対側を段差付円錐状に形成することを特徴とする。
本発明は、放射装置において、該発光部Hに遮蔽体を設けたことを特徴とする。
本発明は、放射装置において、該発光部Hに反射体を設けたことを特徴とする。
本発明は、放射装置において、前記発光部Hを直方体に形成したことを特徴とする。
本発明は、放射装置において、前記発光部Hを直方体に形成するとともに、該発光部Hのレンズ側面と放射線受光面を除いて遮蔽部を設けたことを特徴とする。
本発明は、放射装置において、前記発光部Hを立方体に形成したことを特徴とする。
本発明は、放射装置において、前記発光部Hを立方体に形成するとともに、該発光部Hのレンズ側面と放射線受光面を除いて遮蔽部を設けたことを特徴とする。
本発明は、放射装置において、前記くびれ部Rの直径が、レンズの直径の30％以下であることを特徴とする。
【０００７】
図を用いて本発明を説明する。
柱状、或はその他の形状のシンチレータの一部にくびれ部を設け、光を取り出すための端面を凸レンズ状に加工する。基本的には、物質中でのレンズの焦点がくびれ部の箇所付近にするようにする。またくびれ部の直径は、レンズ部分の直径の30％程度以下であることが望ましい。
【０００８】
図１に示されものは、BGO結晶シンチレータであって、（a）は、円柱型シンチレータの側面図で、（b）は、くびれ部Rの断面図を示している。シンチレータの発光部Hを円柱状に形成し、レンズ部側を円錐状に形成して、一端側にくびれ部Rを設け、レンズ部Lの光を取り出すための端面を凸レンズ状に加工する。また物質中でのレンズの焦点がくびれ部Rの箇所付近にするようにする。またくびれ部Rの直径は、レンズ部分Lの直径の30％程度以下であることが望ましい。実施例の寸法を記載している。
【０００９】
レンズ面は、くびれ部Rの中心に焦点がくるように曲率を設計する。
【００１０】
図２に示されものは、GSO結晶シンチレータであって、図１に示される結晶シンチレータの１．５倍のサイズを有している。シンチレータの発光部Hを円柱状に形成するとともに、レンズ部側を円錐状に形成して、レンズ部Lのレンズ面の反対側を円錐状に形成し、くびれ部Rを設け、レンズ部Lの光を取り出すための端面を凸レンズ状に加工する。また物質中でのレンズの焦点がくびれ部Rの箇所付近にするようにする。
【００１１】
図３に示されものは、プラスッチックシンチレータであって、レンズ部Lのレンズ面の反対側を段差付円錐状に形成している。
【００１２】
図４に示されるものは、プラスチックシンチレータであって、（a）は、シンチレータの側面図で、（b）は、斜視図を示している。発光部Hを立方体型のプラスチックシンチレータブロックで構成し、一側面にレンズ部Lを設けたものであって、発光部Hは、一辺を５０ｍｍの立方体に形成している。さらに図４に示されるものにおいては、レンズ部Lを除き、遮蔽体を設けている。
【００１３】
上記実施例においては、発光部Hを立方体型ブロックの構成について、説明したが、実施使用態様に応じて直方体に構成することもできる。
【００１４】
発光部Hとレンズ部Lの形成に当っては、削り出しにより製作する。削り出しに代えて融着により製作することもできる。
【００１５】
図1、2及び３に記載されているものにおいても、必要に応じて光遮蔽材又は反射材により覆うことができる。
【００１６】
くびれ部Rに対してレンズの反対側の形状は適宜設計できるが、取り出す光の量を多くするためには、その体積を大きくとることによって発光量を大きくし、くびれ部Rに向かって傾斜を設けることにより、全反射を利用した集光をするとよい。また、この側面の部分からレンズ部分を経由せずに外に出た光がレンズ側に来ないように、その側面を覆って遮光したり、くびれ部Rの部分の周囲に遮光板を設けることが有効である。
【００１７】
発光体自らが平行光を放射するという極めて基本的な作用であるので、様々な分野での応用が考えられるであろう。放射線の分野においては、強放射線環境下において複雑な構造体を用いずに放射線の空間位置や空間分布を測定する際に応用できる。
【図面の簡単な説明】
【００１８】
【図１】BGO結晶シンチレータである放射装置。
【図２】GSO結晶シンチレータである放射装置。
【図３】プラスッチックシンチレータである放射装置。
【図４】発光部を立法体型としたプラスッチックシンチレータである放射装置。
【符号の説明】
【００１９】
１  放射装置
H  発光部
L  レンズ部
R  くびれ部
【図１】
2007024583.tif 000003
【図２】
2007024583.tif 000004
【図３】
2007024583.tif 000005
【図４】
2007024583.tif 000006